(57)【特許請求の範囲】
【請求項１】
下部構造と上部構造との間に配置される構造物用支承装置であって、
下部構造に固定ボルトにより着脱自在に固定されるベースプレートと、
前記ベースプレートに複数形成される下部の水平切断面の面積が上部の水平切断面の面積より大きな嵌合穴と、
前記嵌合穴と相似形で前記嵌合穴に嵌合固定される前記ベースプレートより高強度の材料で形成され、雌ねじ部を有する高さ調整雌ねじ部材と、
高さ調整時、固定ボルトによる下部構造との固定を解除されたベースプレートの高さ調整雌ねじ部材の雌ねじ部に螺着され、前記下部構造を反力受けとして前記ベースプレートを上昇させる高さ調整ボルトと、
を備えることを特徴とする構造物用高さ調整支承装置。
【請求項２】
下部構造と上部構造との間に配置される構造物用支承装置であって、
周囲の後打ちコンクリートで水平方向の移動が拘束されるベースプレートと、
前記ベースプレートに複数形成される下部の水平切断面の面積が上部の水平切断面の面積より大きな嵌合穴と、
前記嵌合穴と相似形で前記嵌合穴に嵌合固定される前記ベースプレートより高強度の材料で形成され、雌ねじ部を有する高さ調整雌ねじ部材と、
高さ調整時、高さ調整雌ねじ部材の雌ねじ部に螺着され、前記下部構造を反力受けとして前記ベースプレートを上昇させる高さ調整ボルトと、
を備えることを特徴とする構造物用高さ調整支承装置。
【請求項３】
下部構造と上部構造との間に配置される構造物用支承装置であって、
下部構造に固定ボルトにより着脱自在に固定されるベースプレートと、
前記ベースプレートの側面の下部に形成される接合溝と、
前記ベースプレートの側面に固定される前記ベースプレートより高強度の材料で形成され、前記接合溝に係合する下部水平部と前記ベースプレートの側面に当接する垂直部とを少なくとも有し、前記ベースプレートの側面に沿って水平に延び、前記垂直部に複数の雌ねじ部を形成した高さ調整雌ねじ部材と、
高さ調整時、固定ボルトによる下部構造との固定を解除されたベースプレートの高さ調整雌ねじ部材の雌ねじ部に螺着され、前記下部構造を反力受けとして前記ベースプレートを上昇させる高さ調整ボルトと、
を備えることを特徴とする構造物用高さ調整支承装置。
【請求項４】
前記高さ調整雌ねじ部材の一部の水平切断面の形状を非円形としたことを特徴とする請求項１又は２に記載の構造物用高さ調整支承装置。
【請求項５】
前記高さ調整雌ねじ部材は、前記接合溝に係合する下部水平部と前記ベースプレートの側面に当接する垂直部と前記ベースプレート表面と当接する上部水平部を有することを特徴とする請求項３に記載の構造物用高さ調整支承装置。
【請求項６】
前記高さ調整雌ねじ部材の上部又は垂直部を前記ベースプレートの表面から上方に突き出させることを特徴とする請求項１ないし５のいずれか１項に記載の構造物用高さ調整支承装置。
【請求項７】
前記高さ調整雌ねじ部材の不使用時、防錆キャップを設置することを特徴とする請求項１ないし６のいずれか１項に記載の構造物用高さ調整支承装置。
【請求項８】
前記ベースプレートの周囲と後打ちコンクリートとの間にガイドプレートを設置し、前記ベースプレートを前記ガイドプレートに沿って上下動可能とすることを特徴とする請求項３に記載の構造物用高さ調整支承装置。
【請求項９】
下部構造に固定ボルトにより着脱自在に固定されるベースプレートと、前記ベースプレートに複数形成される下部の水平切断面の面積が上部の水平切断面の面積より大きな嵌合穴と、前記嵌合穴と相似形で前記嵌合穴に嵌合固定される前記ベースプレートより高強度の材料で形成され、雌ねじ部を有する高さ調整雌ねじ部材と、高さ調整時、固定ボルトによる下部構造との固定を解除されたベースプレートの高さ調整雌ねじ部材の雌ねじ部に螺着され、前記下部構造を反力受けとして前記ベースプレートを上昇させる高さ調整ボルトと、を備える構造物用高さ調整支承装置の高さ調整工法であって、
ベースプレートを固定している固定ボルトを解除する工程と、
高さ調整雌ねじ部材の雌ねじ部に高さ調整ボルトを螺着し、下部構造を反力受けとしてベースプレートを上昇させ高さを調整する工程と、
上昇したベースプレートと下部構造との間に仮支持部材を設置する工程と、
高さ調整ボルトを上昇させベースプレートの高さ調整雌ねじ部材の下面と下部構造との間に反力受けプレートを設置する工程と、
下部構造とベースプレートとの間に固化性充填材を充填する工程と、
固化性充填材の固化後、高さ調整ボルトを取り外し、ベースプレートを固定ボルトで下部構造に固定する工程と、
を含むことを特徴とする構造物支承装置の高さ調整工法。
【請求項１０】
周囲の後打ちコンクリートで水平方向の移動が拘束されるベースプレートと、前記ベースプレートに複数形成される下部の水平切断面の面積が上部の水平切断面の面積より大きな嵌合穴と、前記嵌合穴と相似形で前記嵌合穴に嵌合固定される前記ベースプレートより高強度の材料で形成され、雌ねじ部を有する高さ調整雌ねじ部材と、高さ調整時、高さ調整雌ねじ部材の雌ねじ部に螺着され、下部構造を反力受けとして前記ベースプレートを上昇させる高さ調整ボルトと、を備える構造物用高さ調整支承装置の高さ調整工法であって、
高さ調整雌ねじ部材の雌ねじ部に高さ調整ボルトを螺着し、下部構造を反力受けとしてベースプレートを上昇させ高さを調整する工程と、
上昇したベースプレートと下部構造との間に仮支持部材を設置する工程と、
高さ調整ボルトを上昇させ、ベースプレートの高さ調整雌ねじ部材の下面と下部構造との間に反力受けプレートを設置する工程と、
下部構造とベースプレートとの間に固化性充填材を充填する工程と、
固化性充填材の固化後、高さ調整ボルトを取り外し、ベースプレートの周囲に後打ちコンクリート打設する工程と、
を含むことを特徴とする構造物支承装置の高さ調整工法。
【発明の詳細な説明】
【技術分野】
【０００１】
本発明は、建築構造物や土木構造物の高さ調整支承装置と構造物支承装置の高さ調整工法に関する。
【背景技術】
【０００２】
橋梁や建築等の構造物には、橋脚等の下部構造で橋桁等の上部構造を支持する構成を採るものがあり、かかる構造物においては、下部構造と上部構造との間の支承装置が設置される。このような支承装置を用いる構造物の一例として、下部構造の上面ベースプレートを設置し、その上に支承を載せ、該支承の上に直接または支持プレートを介して上部構造を載せる構造のものがある。このような構造物においては、支承のレベル（高さおよび水平度）を正確に規制するために、ベースプレートの上面のレベルを高い精度で調整（以下、「高さ調整」という。）することが要請される。
【０００３】
従来の支承の高さ調整方法として、特開平６−２３１３号公報には、支承を載せるベースプレートの複数位置に雌ねじを有する貫通孔を形成し、各貫通孔に高さ調整ボルトを螺合させた状態でベースプレートを下部構造の据付け面に載せ、各高さ調整ボルトをベースプレート上面より突出しない範囲で高さ調整することによりベースプレートの高さを調整する構造物用高さ調整支承装置と高さ調整方法が開示されている。
【先行技術文献】
【特許文献】
【０００４】
【特許文献１】特開平６−２３１３号公報
【発明の概要】
【発明が解決しようとする課題】
【０００５】
しかしながら、従来の高さ調整装置及び高さ調整方法は、ＳＭ４９０やＳＣ４６０等の鋼材で形成されたベースプレートに雌ねじが形成されるため、雌ねじの強度が不足し、大荷重の支承を上昇する際、雌ねじが破損してしまう可能性がある。
【０００６】
本発明は、従来の技術が持つ課題を解決する、構造が簡単であって安価に製造することができ、構造物支承の高さ調整が容易な構造物用高さ調整支承装置と構造物支承の高さ調整工法を提供することを目的とする。
【課題を解決するための手段】
【０００７】
本発明の構造物用高さ調整支承装置は、前記課題を解決するために、下部構造と上部構造との間に配置される構造物用支承装置であって、下部構造に固定ボルトにより着脱自在に固定されるベースプレートと、前記ベースプレートに複数形成される下部の水平切断面の面積が上部の水平切断面の面積より大きな嵌合穴と、前記嵌合穴と相似形で前記嵌合穴に嵌合固定される前記ベースプレートより高強度の材料で形成され、雌ねじ部を有する高さ調整雌ねじ部材と、高さ調整時、固定ボルトによる下部構造との固定を解除されたベースプレートの高さ調整雌ねじ部材の雌ねじ部に螺着され、前記下部構造を反力受けとして前記ベースプレートを上昇させる高さ調整ボルトと、を備えることを特徴とする。
【０００８】
また、本発明の構造物用高さ調整支承装置は、下部構造と上部構造との間に配置される構造物用支承装置であって、周囲の後打ちコンクリートで水平方向の移動が拘束されるベースプレートと、前記ベースプレートに複数形成される下部の水平切断面の面積が上部の水平切断面の面積より大きな嵌合穴と、前記嵌合穴と相似形で前記嵌合穴に嵌合固定される前記ベースプレートより高強度の材料で形成され、雌ねじ部を有する高さ調整雌ねじ部材と、高さ調整時、高さ調整雌ねじ部材の雌ねじ部に螺着され、前記下部構造を反力受けとして前記ベースプレートを上昇させる高さ調整ボルトと、を備えることを特徴とする。
【０００９】
また、本発明の構造物用高さ調整支承装置は、下部構造と上部構造との間に配置される構造物用支承装置であって、下部構造に固定ボルトにより着脱自在に固定されるベースプレートと、前記ベースプレートの側面の下部に形成される接合溝と、前記ベースプレートの側面に固定される前記ベースプレートより高強度の材料で形成され、前記接合溝に係合する下部水平部と前記ベースプレートの側面に当接する垂直部とを少なくとも有し、前記ベースプレートの側面に沿って水平に延び、前記垂直部に複数の雌ねじ部を形成した高さ調整雌ねじ部材と、高さ調整時、固定ボルトによる下部構造との固定を解除されたベースプレートの高さ調整雌ねじ部材の雌ねじ部に螺着され、前記下部構造を反力受けとして前記ベースプレートを上昇させる高さ調整ボルトと、を備えることを特徴とする。
【００１０】
また、本発明の構造物用高さ調整支承装置は、前記高さ調整雌ねじ部材の一部の水平切断面の形状を非円形としたことを特徴とする。
【００１１】
また、本発明の構造物用高さ調整支承装置は、前記高さ調整雌ねじ部材を前記接合溝に係合する下部水平部と前記ベースプレートの側面に当接する垂直部と前記ベースプレート表面と当接する上部水平部とを有することを特徴とする。
【００１２】
また、本発明の構造物用高さ調整支承装置は、前記高さ調整雌ねじ部材の上部又は垂直部を前記ベースプレートの表面から上方に突き出させることを特徴とする。
【００１３】
また、本発明の構造物用高さ調整支承装置は、前記高さ調整雌ねじ部材の不使用時、防錆キャップを設置することを特徴とする。
【００１５】
また、本発明の構造物用高さ調整支承装置は、前記ベースプレートの周囲と後打ちコンクリートとの間にガイドプレートを設置し、前記ベースプレートを前記ガイドプレートに沿って上下動可能とすることを特徴とする。
【００１６】
また、本発明の構造物用支承装置の高さ調整工法は、下部構造に固定ボルトにより着脱自在に固定されるベースプレートと、前記ベースプレートに複数形成される下部の水平切断面の面積が上部の水平切断面の面積より大きな嵌合穴と、前記嵌合穴と相似形で前記嵌合穴に嵌合固定される前記ベースプレートより高強度の材料で形成され、雌ねじ部を有する高さ調整雌ねじ部材と、高さ調整時、固定ボルトによる下部構造との固定を解除されたベースプレートの高さ調整雌ねじ部材の雌ねじ部に螺着され、前記下部構造を反力受けとして前記ベースプレートを上昇させる高さ調整ボルトと、を備える構造物用高さ調整支承装置の高さ調整工法であって、ベースプレートを固定している固定ボルトを解除する工程と、高さ調整雌ねじ部材の雌ねじ部に高さ調整ボルトを螺着し、下部構造を反力受けとしてベースプレートを上昇させ高さを調整する工程と、上昇したベースプレートと下部構造との間に仮支持部材を設置する工程と、高さ調整ボルトを上昇させベースプレートの高さ調整雌ねじ部材の下面と下部構造との間に反力受けプレートを設置する工程と、下部構造とベースプレートとの間に固化性充填材を充填する工程と、固化性充填材の固化後、高さ調整ボルトを取り外し、ベースプレートを固定ボルトで下部構造に固定する工程と、を含むことを特徴とする。
【００１７】
また、本発明の構造物用支承装置の高さ調整工法は、周囲の後打ちコンクリートで水平方向の移動が拘束されるベースプレートと、前記ベースプレートに複数形成される下部の水平切断面の面積が上部の水平切断面の面積より大きな嵌合穴と、前記嵌合穴と相似形で前記嵌合穴に嵌合固定される前記ベースプレートより高強度の材料で形成され、雌ねじ部を有する高さ調整雌ねじ部材と、高さ調整時、高さ調整雌ねじ部材の雌ねじ部に螺着され、前記下部構造を反力受けとして前記ベースプレートを上昇させる高さ調整ボルトと、を備える構造物用高さ調整支承装置の高さ調整工法であって、高さ調整雌ねじ部材の雌ねじ部に高さ調整ボルトを螺着し、下部構造を反力受けとしてベースプレートを上昇させ高さを調整する工程と、上昇したベースプレートと下部構造との間に仮支持部材を設置する工程と、高さ調整ボルトを上昇させ、ベースプレートの高さ調整雌ねじ部材の下面と下部構造との間に反力受けプレートを設置する工程と、下部構造とベースプレートとの間に固化性充填材を充填する工程と、固化性充填材の固化後、高さ調整ボルトを取り外し、ベースプレートの周囲に後打ちコンクリート打設する工程と、を含むことを特徴とする。
【発明の効果】
【００１８】
高さ調整雌ねじ部材を形成する材料をベースプレートを形成する材料より高強度の材料とすることで、大荷重の支承をジャッキアップさせる際の雌ねじ部の強度を確保することが可能となる。また、高さ調整雌ねじ部材を下部の水平切断面の面積が上部の水平切断面の面積より大きく形成することで、高さ調整ボルトの回転に伴う上昇力に抵抗することが可能になる。
高さ調整雌ねじ部材の一部の水平切断面の形状を非円形とすることで、高さ調整ボルトの回転力に抵抗することが可能になる。
ベースプレートの側面に固定されるベースプレートより高強度の材料で形成され、ベースプレートの下部側面に形成された接合溝に係合する下部水平部とベースプレートの側面に当接する垂直部とを少なくとも有し、ベースプレートの側面に沿って水平に延び、垂直部に複数の雌ねじ部を形成した高さ調整雌ねじ部材とすることで、ベースプレート上の他の部材の配置に阻害されることなく複数の雌ねじ部を形成した高さ調整雌ねじ部材を配置することが可能となる。
高さ調整雌ねじ部材を前記接合溝に係合する下部水平部と前記ベースプレートの側面と当接する垂直部と前記ベースプレート表面と当接する上部水平部とを有するようにすることで、高さ調整雌ねじ部材をベースプレートの側面に強固に固定することが可能となる。
高さ調整雌ねじ部材の上部又は垂直部を前記ベースプレートの表面から上方に突き出させることで、ベースプレートの厚さ増加すること無く、ジャッキアップのための雌ねじ長さを確保することが可能になる。
高さ調整雌ねじ部材の不使用時、防錆キャップを設置することで、高さ調整雌ねじ部材の雌ねじ部への水や塵の浸入を防止し、雌ねじ部の腐食を防止することが可能になる。
ベースプレートの周囲と後打ちコンクリートとの間にガイドプレートを設置し、前記ベースプレートを前記ガイドプレートに沿って上下動可能とすることで、ベースプレートの高さ調整が容易に実施することが可能となる。
上記の構造物用高さ調整支承装置の高さ調整工法であって、ベースプレートを固定している固定ボルトを解除する工程と、高さ調整雌ねじ部材の雌ねじ部に高さ調整ボルトを螺着し、下部構造を反力受けとしてベースプレートを上昇させ高さを調整する工程と、上昇したベースプレートと下部構造との間に仮支持部材を設置する工程と、高さ調整ボルトを上昇させベースプレートの高さ調整雌ねじ部材の下面と下部構造との間に反力受けプレートを設置する工程と、下部構造とベースプレートとの間に固化性充填材を充填する工程と、固化性充填材の固化後、高さ調整ボルトを取り外し、ベースプレートを固定ボルトで下部構造に固定する工程と、を含むことで、大荷重の支承をジャッキアップさせる際の雌ねじ部の強度を確保して確実に支承装置の高さ調整することが可能となる。
【図面の簡単な説明】
【００１９】
【図１】本発明の実施形態を示す図である。
【図２】本発明の実施形態を示す図である。
【図３】本発明の実施形態を示す図である。
【図４】本発明の実施形態を示す図である。
【図５】本発明の実施形態を示す図である。
【図６】本発明の実施形態を示す図である。
【図７】（ａ）（ｂ）本発明の実施形態を示す図である。
【図８】（ａ）（ｂ）本発明の実施形態を示す図である。
【図９】（ａ）（ｂ）本発明の実施形態を示す図である。
【図１０】本発明の実施形態を示す図である。
【図１１】本発明の実施形態を示す図である。
【図１２】本発明の実施形態を示す図である。
【図１３】本発明の実施形態を示す図である。
【図１４】本発明の実施形態を示す図である。
【図１５】本発明の実施形態を示す図である。
【図１６】本発明の実施形態を示す図である。
【図１７】（ａ）〜（ｄ）本発明の実施形態を示す図である。
【図１８】（ａ）〜（ｄ）本発明の実施形態を示す図である。
【発明を実施するための形態】
【００２０】
図１、図２は、本発明の構造物用高さ調整支承装置１を橋梁に使用した一実施形態を示す図である。
【００２１】
高さ調整支承装置１は、橋脚や橋台等のコンクリート製の下部構造２と橋桁等の上部構造３との間に配置される。コンクリート製の下部構造２上には、ベースプレート４が配置される。下部構造２に埋設されたアンカーボルト６が下部構造２に埋設された雌ねじ部を有する継手部材５に螺着される。ベースプレート４に形成された貫通孔に固定ボルト７が挿入され、固定ボルト７が継手部材５の雌ねじ部に螺着され、ベースプレート４が下部構造２に着脱自在に固定される。
【００２２】
ベースプレート４と上部構造３との間に設置される支承装置はどのような形式の支承装置でも良いが、この実施形態の支承装置は、ベースプレート４上に上下部連結鋼板９、１０を有する積層ゴム支承８が配置される。上部構造３に固定されたソールプレート１１と上沓１２がセットボルト１３で固定される。上部連結鋼板９と上沓１２とが橋軸方向に可動な状態とする。しかし、上部構造３と下部構造２の間に配置される支承は図に示されたものに限定されるものではなく、他の支承であっても良い。
【００２３】
ベースプレート４は、  ＳＭ４９０やＳＣ４６０の鋼材で形成され、その厚さは、支承装置の高さ制限、軽量化の要求により制限される。ベースプレート４の積層ゴム支承８の外側に位置する部分に複数の嵌合穴１４が形成される。嵌合穴１４は、ベースプレート４の裏面側に開口する下部嵌合穴１４ａと下部嵌合穴１４ａと連通し、下部嵌合穴１４ａより小径でベースプレート４の上面側に開口する上部嵌合穴１４ｂにより構成され、下部嵌合穴１４ａと上部嵌合穴１４ｂとの間に段部が形成される。下部嵌合穴１４ａと上部嵌合穴１４ｂの水平切断面の形状はその一部を楕円形、多角形等の非円形の形状とする。
【００２４】
図３、図４は、本発明の構造物用高さ調整支承装置１を橋梁に使用した他の実施形態を示す図である。
【００２５】
この実施形態の高さ調整支承装置１は、橋脚や橋台等のコンクリート製の下部構造２と橋桁等の上部構造３との間に配置される。コンクリート製の下部構造２上には、ベースプレート４が配置される。ベースプレート４の周囲にはガイドプレート２６が設置され、その周囲に後打ちコンクリート２５が打設される。ベースプレート４は、ガイドプレート２６に沿って高さ方向の移動が可能であるが、水平方向の移動は拘束される。他の構成は、図１、図２に示される実施形態と同様であるので説明を省略する。
【００２６】
図５、図６は、ベースプレート４の嵌合穴１４に嵌合固定される高さ調整雌ねじ部材１５を示す図である。高さ調整雌ねじ部材１５は、ベースプレート４の下部嵌合穴１４ａに嵌合する下部１５ａと、上部嵌合穴１４ｂと嵌合する上部１５ｂを備えている。また、高さ調整雌ねじ部材１５は、下部１５ａと上部１５ｂを貫通する雌ねじ部１５ｃを備えている。高さ調整雌ねじ部材１５の下部１５ａと上部１５ｂの水平切断面の形状は、ベースプレート４に形成された下部嵌合穴１４ａと上部嵌合穴４ｂの水平切断面の形状と相似形の形状とし、下部嵌合穴１４ａと上部嵌合穴４ｂに嵌合可能とするため嵌合穴より若干小さめとする。高さ調整雌ねじ部材１５をベースプレート４の複数の嵌合穴１４に嵌合し、溶接等の手段により固定する。ベースプレート４に形成された嵌合穴１４と高さ調整雌ねじ部材１５の一部の水平切断面の形状を楕円形又は多角形等の非円形とすることで、高さ調整ボルト１８の雄ねじ部１８ａと高さ調整雌ねじ部材１５の雌ねじ部１５ｃとの螺着時の回転力に抵抗する。また、高さ調整雌ねじ部材１５が下部の水平切断面の面積が上部の水平切断面の面積より大きな嵌合穴１４に嵌合固定することで、高さ調整ボルト１８による高さ調整時の上昇力に抵抗することが可能になる。
【００２７】
高さ調整雌ねじ部材１５は、ＳＣＭｎやＳ４５Ｃ等のベースプレート４を形成するＳＭ４９０やＳＣ４６０より高強度の材料で形成される。高さ調整雌ねじ部材１５をベースプレート４を形成する材料より高強度の材料とすることで、大荷重の支承をジャッキアップさせる際の雌ねじ部１５ｃの強度を確保する。また、高さ調整雌ねじ部材１５の雌ねじ部１５ｃを高周波熱処理し、その後クロームメッキを施すことにより、雌ねじ部１５ｃの強度をより向上させると共に、雌ねじ部１５ｃを防錆すると共に、後述する高さ調整ボルト１８と雄ねじ部１８ａとの螺着の際の滑りを良くする。
【００２８】
図７〜図９は、高さ調整雌ねじ部材１５の他の実施形態を示す。図５（ａ）（ｂ）に示される実施形態は、下部１５ａの水平切断面の形状が矩形で上部１５ｂの水平切断面の形状が円形の高さ調整雌ねじ部材１５を示す。図６（ａ）（ｂ）に示される実施形態は、下部１５ａの水平切断面の形状が楕円で上部１５ｂの水平切断面の形状が矩形の高さ調整雌ねじ部材１５を示す。図７（ａ）（ｂ）に示される実施形態は、下部１５ａの水平切断面の形状が矩形で上部１５ｂの水平切断面の形状も矩形で下部１５ａと上部１５ｂが段部を形成すること無く、上部が切断された四角錐の形状の高さ調整雌ねじ部材１５を示す。
【００２９】
図１０に示される実施形態では、高さ調整雌ねじ部材１５の上部１５ｂをベースプレート４の上面から突き出すようにする。高さ調整雌ねじ部材１５の上部１５ｂをベースプレート４の上面から突き出すようにすることで、ベースプレート４の厚さを増加することなく高さ調整のための雌ねじ部１５ｃの雌ねじ長さを確保することが可能となる。また、高さ調整雌ねじ部材１５を、防錆を考慮し、ＳＣＭｎやＳ４５Ｃ等より強度の劣るステンレス鋼で形成する場合、高さ調整のための雌ねじ部１５ｃの雌ねじ長さを確保することが可能となる。
【００３０】
高さ調整時以外の期間、高さ調整雌ねじ部材１５の雌ねじ部１５ｃの上端に防錆キャップ１７を着脱自在に取り付けても良い。防錆キャップ１７にゴム製のシールリング２１を配置する。シールリング２１を水膨張性ゴム製とすると、高さ調整雌ねじ部材１５の雌ねじ部１５ｃへの水の浸入を確実に防止することができ、雌ねじ部１５ｃの腐食を防止することが可能になる。
【００３１】
高さ調整雌ねじ部材１５の雌ねじ部１５ｃの直下の下部構造２に鋼製の反力受け部材
１６が埋設設置される。反力受け部材１６の高さ調整雌ねじ部材１５の雌ねじ部１５ｃの直下の部分は平面或いは球面凹部１６ａを形成する。反力受け部材１６に球面凹部１６ａを形成することで、高さ調整ボルト１８による高さ調整時、高さ調整ボルト１８の押圧力による下向きの大荷重が一部に集中するのを防止し、荷重を分散することで反力受け部材１６の破壊や下部構造２のコンクリートのひび割れ発生を防止することが可能となる。また、反力受け部材１６の球面凹部１６ａは、高さ調整ボルト１８による高さ調整時、高さ調整ボルト１８の回転を円滑にすることが可能になる。
【００３２】
高さ調整時のみ使用される高さ調整ボルト１８は、高さ調整雌ねじ部材１５と同様に大荷重の支承を上昇させるため高強度の材料で形成され、雄ねじ部１８ａを高周波熱処理し、その後クロームメッキを施しても良い。
【００３３】
図１１は、高さ調整雌ねじ部材１５の雌ねじ部１５ｃと高さ調整ボルト１８の雄ねじ部１８ａの螺着状態の一実施形態を示す図である。高さ調整雌ねじ部材１５の雌ねじ部１５ｃと高さ調整ボルト１８の雄ねじ部１８ａのねじ山を台形とすることで大荷重のジャッキアップが可能となる。しかし、高さ調整雌ねじ部材１５の雌ねじ部１５ｃと高さ調整ボルト１８の雄ねじ部１８ａのねじ山の形状はどのようなものであっても良い。
【００３４】
図１２〜図１６は、高さ調整雌ねじ部材１５の他の実施形態を示す図である。
【００３５】
この実施形態では、ベースプレート４の側面の下部に接合溝４ａを形成する。接合溝４ａは、ベースプレート４の４つの側面に形成しても良いし、対向する２つの側面に形成しても良い。また、接合溝４ａはベースプレート４の側面の水平方向に沿って所定の長さ形成される。
【００３６】
図１３に示される高さ調整雌ねじ部材１５は、ベースプレート４に形成された接合溝４ａに係合する下部水平部１５ｄと、ベースプレート４の側面に当接する垂直部１５ｅと、ベースプレート４の表面と当接する上部水平部１５ｆとからなり、縦方向断面がコ字形をしている。垂直部１５ｅに所定間隔で複数の雌ねじ部１５ｃが形成される。高さ調整雌ねじ部材１５は、溶接等の固定手段を介してベースプレート４の側面に固定される。高さ調整雌ねじ部材１５をベースプレート４の側面に固定することで、ベースプレート上の他の部材の配置に阻害されることなく複数の雌ねじ部を形成した高さ調整雌ねじ部材を配置することが可能となる。また、高さ調整雌ねじ部材１５の縦方向断面をコ字形とし、ベースプレート４の側面を挟み込むようにするので強固に固定することが可能になる。
【００３７】
図１４に示される高さ調整雌ねじ部材１５は、図１３に示される縦方向断面をコ字形の高さ調整雌ねじ部材１５の垂直部１５ｅを上方に突出させる。雌ねじ部が形成される垂直部１５ｅを上方に突出させることで、ベースプレート４の厚さを増加することなく高さ調整のための雌ねじ部１５ｃの雌ねじ長さを確保することが可能となる。
【００３８】
図１５に示される高さ調整雌ねじ部材１５は、ベースプレート４の側面の下部に形成された接合溝４ａに係合する下部水平部１５ｄと、ベースプレート４の側面に当接する垂直部１５ｅとからなり、縦方向断面がＬ字形をしている。垂直部１５ｅに所定間隔で複数の雌ねじ部１５ｃが形成される。高さ調整雌ねじ部材１５は、溶接等の固定手段を介してベースプレート４の側面に固定される。高さ調整雌ねじ部材１５をベースプレート４の側面に固定することで、ベースプレート上の他の部材の配置に阻害されることなく複数の雌ねじ部を形成した高さ調整雌ねじ部材を配置することが可能となる。
【００３９】
図１６に示される高さ調整雌ねじ部材１５は、図１５に示される縦方向断面をＬ字形の高さ調整雌ねじ部材１５の垂直部１５ｅを上方に突出させる。雌ねじ部が形成される垂直部１５ｅを上方に突出させることで、ベースプレート４の厚さを増加することなく高さ調整のための雌ねじ部１５ｃの雌ねじ長さを確保することが可能となる。
【００４０】
図１７（ａ）〜（ｄ）は、本発明の一実施形態の高さ調整支承装置の高さ調整工法の工程を、時系列に示す図である。
【００４１】
図１７（ａ）に示す工程では、下部構造２とベースプレート４を固定している固定ボルト７を取り外し、さらに高さ調整雌ねじ部材１５に取り付けられている防錆キャップ１７を取り外す。次に、高さ調整ボルト１８を高さ調整雌ねじ部材１５の雌ねじ部１５ｃに螺着し、高さ調整ボルト１８の下端部を下部構造２に埋設設置された反力受け部材１６の球面凹部１６ａに当接させる。
【００４２】
図１７（ｂ）に示す工程では、高さ調整ボルト１８を回転させ、ねじ力により反力受け部材１６を反力として支承を支持したベースプレート４を上昇させ、ベースプレート４の高さを調整する。ベースプレート４が高さを調整する所定の位置まで上昇すると、下部構造２とベースプレート４との間にライナープレート等を積層した仮支持部材２２を設置し、支承の荷重を仮支持部材２２で支持するようにする。
【００４３】
図１７（ｃ）に示す工程では、上部構造の荷重を仮支持部材２２で支持した状態で、高さ調整ルト１８を高さ調整雌ねじ部材１５の雌ねじ部１５ｃ下部まで上昇させる。この状態で下部構造２と高さ調整雌ねじ部材１５の下面との間に反力受けプレート２４を設置する。高さ調整雌ねじ部材１５と下部構造２との間に反力受けプレート２４を設置することで、再度高さ調整が必要になった時、反力受けプレート２４を反力受けとして高さ調整が可能となる。その後、仮支持部材２２により支持されたベースプレート４と下部構造２との間の空隙にモルタル等の固化性充填材２３を充填固化させる。固化性充填材２３の固化後、高さ調整ボルト１８を引き抜く。
【００４４】
図１７（ｄ）に示す工程では、高さ調整が済んだベースプレート４の貫通孔に固定ボルト７を挿入し、固定ボルト７をアンカーボルト６と螺着された継手部材５に螺着し、ベースプレート４を下部構造２に固定する。高さ調整雌ねじ部材１５の雌ねじ部１５ｃに防錆キャップ１７を設置する。
【００４５】
図１８（ａ）〜（ｄ）は、本発明の一実施形態の高さ調整支承装置の高さ調整工法の工程を、時系列に示す図である。
【００４６】
図１８（ａ）に示す工程では、高さ調整雌ねじ部材１５に取り付けられている防錆キャップ１７を取り外す。次に、高さ調整ボルト１８を高さ調整雌ねじ部材１５の雌ねじ部１５ｃに螺着し、高さ調整ボルト１８の下端部を下部構造２に埋設設置された反力受け部材１６に当接させる。
【００４７】
図１８（ｂ）に示す工程では、高さ調整ボルト１８を回転させ、ねじ力により反力受け部材１６を反力として支承を支持したベースプレート４を上昇させ、ベースプレート４の高さを調整する。ベースプレート４が高さを調整する所定の位置まで上昇すると、下部構造２とベースプレート４との間にライナープレート等を積層した仮支持部材２２を設置し、支承の荷重を仮支持部材２２で支持するようにする。
【００４８】
図１８（ｃ）に示す工程では、上部構造の荷重を仮支持部材２２で支持した状態で、田高さ調整ルト１８を高さ調整雌ねじ部材１５の雌ねじ部１５ｃ下部まで上昇させる。この状態で下部構造２と高さ調整雌ねじ部材１５の下面との間に反力受けプレート２４を設置する。高さ調整雌ねじ部材１５と下部構造２との間に反力受けプレート２４を設置することで、再度高さ調整が必要になった時、反力受けプレート２４を反力受けとして高さ調整が可能となる。その後、仮支持部材２２により支持されたベースプレート４と下部構造２との間の空隙にモルタル等の固化性充填材２３を充填固化させる。固化性充填材２３の固化後、高さ調整ボルト１８を引き抜く。
【００４９】
高さ調整ボルト１８を高さ調整雌ねじ部材１５から取り外し、仮支持部材２２により支持されたベースプレート４と下部構造２との間の空隙にモルタル等の固化性充填材２３を充填固化させる。固化性充填材２３の固化後、仮支持部材２２を撤去しても良いし、そのまま埋め殺しにしても良い。
【００５０】
図１８（ｄ）に示す工程では、高さ調整が済んだベースプレート４の周囲のガイドプレート５の外側に後打ちコンクリート６を積み増し打設し、高さ調整が済んだベースプレート４の水平方向の移動を拘束する。高さ調整雌ねじ部材１５の雌ねじ部１５ｃに防錆キャップ１７を設置する。
【００５１】
以上のように、本発明の構造物用高さ調整支承装置及び高さ調整工法によれば、高さ調整雌ねじ部材をベースプレートを形成する材料より高強度の材料とすることで、大荷重の支承をジャッキアップさせる際の雌ねじ部の強度を確保することが可能となる。
【符号の説明】
【００５２】
１：構造物用高さ調整承装置、２：下部構造、３：上部構造、４：ベースプレート、４ａ：接合溝、５：継手部材、６：アンカーボルト、７：固定ボルト、８：積層ゴム支承、９：上部連結鋼板、１０：下部連結鋼板、１１：ソールプレート、１２：上沓、１３：セットボルト、１４：嵌合穴、１４ａ：下部嵌合穴、１４ｂ：上部嵌合穴、１５：高さ調整雌ねじ部材、１５ａ：下部、１５ｂ：上部、１５ｃ：雌ねじ部、１５ｄ：下部水平部、１５ｅ：垂直部、１５ｆ：上部水平部、１６：反力受け部材、１６ａ：球面凹部、１７：防錆キャップ、１８：高さ調整ボルト、１８ａ：雄ねじ部、２１：シールリング、２２：仮支持部材、２３：固化性充填材、２４：反力受けプレート、２５：ガイドプレート、２６：後打ちコンクリート
【要約】
【課題】構造が簡単であって安価に製造することができ、構造物支承の高さ調整が容易な構造物用高さ調整支承装置と構造物支承の高さ調整工法を提供することを目的とする。
【解決手段】下部構造２と上部構造３との間に配置される構造物用支承装置であって、下部構造に固定ボルト７により着脱自在に固定されるベースプレート４と、前記ベースプレートに複数形成される下部の水平切断面の面積が上部の水平切断面の面積より大きな嵌合穴１４と、前記嵌合穴と相似形で前記嵌合穴に嵌合固定される前記ベースプレートより高強度の材料で形成され、雌ねじ部１５ｃを有する高さ調整雌ねじ部材１５と、高さ調整時、固定ボルトによる下部構造との固定を解除されたベースプレートの高さ調整雌ねじ部材の雌ねじ部に螺着され、前記下部構造を反力受けとして前記ベースプレートを上昇させる高さ調整ボルト１８と、を備えることを特徴とする。
【選択図】  図１【図１】
0004702862.tif 000002
【図２】
0004702862.tif 000003
【図３】
0004702862.tif 000004
【図４】
0004702862.tif 000005
【図５】
0004702862.tif 000006
【図６】
0004702862.tif 000007
【図７】
0004702862.tif 000008
【図８】
0004702862.tif 000009
【図９】
0004702862.tif 000010
【図１０】
0004702862.tif 000011
【図１１】
0004702862.tif 000012
【図１２】
0004702862.tif 000013
【図１３】
0004702862.tif 000014
【図１４】
0004702862.tif 000015
【図１５】
0004702862.tif 000016
【図１６】
0004702862.tif 000017
【図１７】
0004702862.tif 000018
【図１８】
0004702862.tif 000019